(57)【要約】【課題】放送電波の視聴において、視聴者側で受信状況を判断できる表示手段を有する受信装置の提供を目的とする。【解決手段】放送局６からの電波を受信する複数の視聴者設備において、受信状況監視手段１２により受信強度を測定し、これらの各視聴者設備毎の情報を、通信手段８を介して受信状況収集／分析装置５で収集分析処理を行う。この処理の結果から隣接する視聴者設備の受信強度情報を通信手段８で各視聴者設備１に伝送し、視聴者設備１側の解析結果表示手段１３に表示する。【選択図】  図１
2004336436.tif 000002
【特許請求の範囲】
【請求項１】
放送局からの電波を複数の地点の視聴者が受信する受信システムにおいて、前記放送局からの電波を測定する受信状況監視手段と、前記受信状況を収集して分析を行う装置との間を通信する双方向の通信手段と、前記受信状況を収集し解析した結果を視聴者側の受信機で表示する表示手段とを備える受信装置。
【発明の詳細な説明】
【０００１】
【発明の属する技術分野】
この発明は、放送の電波を利用して得られた情報を収集し、分析を行った結果を視聴者に提供する、デジタル放送受信用セットトップボックスやデジタル放送受信用テレビジョン受信機などを代表とするデジタル情報家電機器などの受信装置に関するものである。
【０００２】
【従来の技術】
従来のデジタル放送受信情報処理装置においては、視聴者側の受信機において受信状況を判別するために、複数地点の視聴者毎の設備における受信強度測定手段により測定された受信強度を、通信回線を介して収集し、放送局側にある演算処理装置で一括して処理することで、視聴者宅の受信設備における受信障害が視聴者宅固有のものか隣接する地域における地域的な受信障害であるかを判別していた。（例えば、特許文献１参照）
【０００３】
【特許文献１】
特開平７−２３１３１０号公報（第４頁、第１図）
【０００４】
【発明が解決しようとする課題】
しかしながら前記従来の構成では、視聴者が不具合を判別するための表示手段が備わっていないため、視聴者が不具合を認知するための手段が別途必要になるという課題を有していた。
【０００５】
本発明は、前記従来の課題を解決するもので、一つの受信装置において放送電波受信状況を表示する受信システムを提供することを目的とする。
【０００６】
【課題を解決するための手段】
上述したこの本発明の目的を達成する為の放送電波受信状況表示システムは、放送局からの電波を複数の地点の視聴者が受信する受信システムにおいて、放送局からの電波を測定する受信状況監視手段と、受信状況を収集して分析を行う装置との間を通信する双方向の通信手段に加えて、受信状況を収集し解析した結果を視聴者側の受信機で表示する手段を備えた構成を有した受信装置となっている。
【０００７】
この構成によって、視聴者側の受信機において受信状況を判別するために、複数地点の視聴者毎の設備における受信強度測定手段により測定された受信強度を、通信回線を介して収集し、受信状況を収集して分析を行う装置で一括して処理することにより、視聴者宅の受信設備における受信障害が視聴者宅固有のものか隣接する地域における地域的な受信障害であるかの判別を視聴者自身が表示装置から読み取ることが可能となる受信システムを実現することができる。
【０００８】
上述したこの発明の目的を達成する為の放送電波受信状況表示システムは、放送局からの電波を複数の地点の視聴者が受信する受信システムにおいて、複数の放送局からの電波を測定する受信状況監視手段と、受信状況を収集して分析を行う装置との間を通信する双方向の通信手段に加えて、受信状況を収集し解析した結果を視聴者側の受信機で表示する手段を備えた構成を有した受信装置となっている。
【０００９】
この構成によって、視聴者側の受信機において複数の放送電波の受信状況を判別するために、複数地点の視聴者毎の設備における受信強度測定手段により測定された受信強度を通信回線を介して収集し、受信状況を収集して分析を行う装置で一括して処理することにより、視聴者宅の受信設備における受信障害が視聴者宅固有のものか隣接する地域における地域的な受信障害であるかの判別を視聴者自身が表示装置から読み取ることが可能となる受信システムを実現することができる。
【００１０】
上述したこの発明の目的を達成する為の放送電波受信状況表示システムは、放送局からの電波を複数の地点の視聴者が受信する受信システムにおいて、複数の放送方式の電波を測定する受信状況監視手段と、受信状況を収集して分析を行う装置との間を通信する双方向の通信手段に加えて、受信状況を収集し解析した結果を視聴者側の受信機で表示する手段を備えた構成を有した受信装置となっている。
【００１１】
この構成によって、視聴者側の受信機において複数の放送方式の受信状況を判別するために、複数地点の視聴者毎の設備における受信強度測定手段により測定された受信強度を、通信回線を介して収集し、受信状況を収集して分析を行う装置で一括して処理することにより、視聴者宅の受信設備における受信障害が視聴者宅固有のものか隣接する地域における地域的な受信障害であるかの判別を視聴者自身が表示装置から読み取ることが可能となる受信システムを実現することができる。
【００１２】
なお、受信状況とは、受信電波の電界強度、Ｃ／Ｎ比、ビット誤り率、受信周波数情報、チャンネル情報、時間情報、受信設備の地理情報および受信設備を特定する情報を含むものとする。
【００１３】
また受信装置とは、デジタル放送用セットトップボックス、デジタル放送用テレビジョン、デジタルビデオレコーダーなどのデジタル家電情報機器を含むものとする。
【００１４】
さらに、放送局の電波とは、地上波デジタル放送、衛星デジタル放送およびデジタルケーブルテレビなどのデジタル放送サービスの電波を含むものとする。
【００１５】
【発明の実施の形態】
本発明の放送電波受信状況表示システムは、放送局からの電波を複数の地点の視聴者が受信する受信システムにおいて、放送局からの電波を測定する受信状況監視手段と、受信状況を収集して分析を行う装置との間を通信する双方向の通信手段に加えて、受信状況を収集し解析した結果を視聴者側の受信機で表示する手段を備えることを特徴としたものであり、視聴者側の受信機において受信状況を判別するために、複数地点の視聴者毎の設備における受信強度測定手段により測定された受信強度を通信回線を介して収集し、受信状況を収集して分析を行う装置で一括して処理することにより、視聴者宅の受信設備における受信障害が視聴者宅固有のものか隣接する地域における地域的な受信障害であるかの判別を視聴者自身が表示装置から読み取ることが可能となる作用を有する。
【００１６】
本発明の放送電波受信状況表示システムは、放送局からの電波を複数の地点の視聴者が受信する受信システムにおいて、複数の放送局からの電波を測定する受信状況監視手段を有することを特徴としたものであり、視聴者側の受信機において複数の放送電波の受信状況を判別するために、複数地点の視聴者毎の設備における受信強度測定手段により測定された受信強度を通信回線を介して収集し、受信状況を収集して分析を行う装置で一括して処理することにより、視聴者宅の受信設備における受信障害が視聴者宅固有のものか隣接する地域における地域的な受信障害であるかの判別を視聴者自身が表示装置から読み取ることが可能となる作用を有する。
【００１７】
本発明の放送電波受信状況表示システムは、放送局からの電波を複数の地点の視聴者が受信する受信システムにおいて、複数の放送方式による電波を測定する受信状況監視手段を有することを特徴としたものであり、視聴者側の受信機において複数の放送方式による電波の受信状況を判別するために、複数地点の視聴者毎の設備における受信強度測定手段により測定された受信強度を通信回線を介して収集し、受信状況を収集して分析を行う装置で一括して処理することにより、視聴者宅の受信設備における受信障害が視聴者宅固有のものか隣接する地域における地域的な受信障害であるかの判別を視聴者自身が表示装置から読み取ることが可能となる作用を有する。
【００１８】
以下に、本発明の実施の形態について、図１から図３を用いて説明する。
【００１９】
（実施の形態１）
図１に本発明の実施の形態１における受信システムのブロック図を示す。この場合の受信システムは、放送局６と受信情報処理装置５および複数の視聴者設備から構成され、視聴者設備１は、放送電波を受信するアンテナ１１と、受信した電波を監視する受信状況監視手段１２と、監視結果を通信手段８を介して受信情報処理装置５の受信状況収集／分析装置５１に伝達するための双方向通信手段１４と、この受信状況収集／分析装置５１によって解析された結果を双方向通信手段１４を介して解析結果表示手段１３に表示する装置を備えている。
【００２０】
以上のように構成された受信システムについて、図１を用いてその動作を説明する。
【００２１】
視聴者設備１は、放送局６からの放送電波をアンテナ１１で受信し、受信した電波を監視する受信状況監視手段１２において電界強度またはＣ／Ｎ比またはビット誤り率を測定し、測定結果を受信周波数、チャンネル情報、時間情報、地理情報および受信装置固有情報と共に、受信情報処理装置５の受信状況収集／分析装置５１に、通信手段８によって伝達する双方向通信手段１４を用いて伝送する。
【００２２】
また、受信情報処理装置５の受信状況収集／分析装置５１は、複数の視聴者設備からの情報を収集し、視聴者設備１からの要求に応じて視聴者設備の地理情報を参照し視聴者設備近隣の受信状況解析結果を視聴者設備１に伝送し、視聴者設備１においては受信状況解析結果を解析結果表示手段１３に表示し視聴者に対し視聴者設備１の受信状況を提供することを可能とするものである。
【００２３】
（実施の形態２）
図２に本発明の第２の実施の形態である受信システムのブロック図を示す。この場合の受信システムは、放送局６および放送局７と受信情報処理装置５および複数の視聴者設備から構成され、視聴者設備１は、放送電波を受信するアンテナ１１、受信した電波を監視する受信状況監視手段１２、監視結果を受信状況収集／分析装置５１に通信手段８によって伝達する双方向通信手段１４および受信状況収集／分析装置５１によって解析された結果を、双方向通信手段１４を介して解析結果表示手段１３に表示する装置より構成されている。
【００２４】
以上のように構成された受信システムについて、図２を用いてその動作を説明する。
【００２５】
視聴者設備１は、放送局６および放送局７からの放送電波をアンテナ１１で受信し、受信した電波を監視する受信状況監視手段１２において電界強度またはＣ／Ｎ比またはビット誤り率を測定し、測定結果を受信周波数、チャンネル情報、時間情報、地理情報および受信装置固有情報と共に受信状況収集／分析装置５１に通信手段８によって伝達する双方向通信手段１４を用いて伝送する。
【００２６】
受信状況収集／分析装置５１は複数の視聴者設備からの情報を収集し、視聴者設備１からの要求に応じて視聴者設備の地理情報を参照し視聴者設備近隣の受信状況解析結果を視聴者設備１に伝送し、視聴者設備１においては放送局毎の受信状況解析結果を解析結果表示手段１３に表示し視聴者に対し放送局毎の視聴者設備１の受信状況を提供することを可能とするものである。
【００２７】
（実施の形態３）
図３に本発明の第３の実施の形態における受信システムのブロック図を示す。この場合の受信システムは、放送局６および放送局７と受信情報処理装置５および複数の視聴者設備から構成され、視聴者設備１は、放送電波を受信するアンテナ１１と放送衛星からの電波を受信するアンテナ１５、複数の放送方式を受信した電波を監視する受信状況監視手段１６、監視結果を受信状況収集／分析装置５１に通信手段８によって伝達する双方向通信手段１４および受信状況収集／分析装置５１によって解析された結果を、双方向通信手段１４を介して解析結果表示手段１３に表示する装置より構成されている。
【００２８】
以上のように構成された受信システムについて、図３を用いてその動作を説明する。
【００２９】
視聴者設備１は、放送局６からの放送電波をアンテナ１１で受信し、さらに放送衛星９からの電波をアンテナ１５で受信し、複数の放送方式を受信した電波を監視する受信状況監視手段１６において電界強度またはＣ／Ｎ比またはビット誤り率を測定し、測定結果を受信周波数、チャンネル情報、時間情報、地理情報および受信装置固有情報と共に受信状況収集／分析装置５１に通信手段８によって伝達する双方向通信手段１４を用いて伝送する。
【００３０】
受信状況収集／分析装置５１は複数の視聴者設備からの情報を収集し、視聴者設備１からの要求に応じて視聴者設備の地理情報を参照し視聴者設備近隣の複数の放送方式の受信状況解析結果を視聴者設備１に伝送し、視聴者設備１においては複数の放送方式の受信状況解析結果を解析結果表示手段１３に表示し視聴者に対し視聴者設備１の複数の放送方式の受信状況を提供することを可能とするものである。
【００３１】
【発明の効果】
以上のように本発明は、第１に、一つの受信装置において放送電波受信状況を表示する受信システムを提供する、第２に、一つの受信装置において複数の放送局からの放送電波受信状況を表示する受信システムを提供する、第３に、一つの受信装置において複数の放送方式の放送電波受信状況を表示する受信システムを提供する、という優れた効果が得られるものである。
【図面の簡単な説明】
【図１】本発明の実施の形態１における受信システムのブロック図
【図２】本発明の実施の形態２における受信システムのブロック図
【図３】本発明の実施の形態３における受信システムのブロック図
【符号の説明】
１、２  視聴者設備１
５  受信情報処理装置
６  放送局
７  放送局
８  放送局
９  放送衛星
１１、２１、３１  アンテナ
１２  受信状況監視手段
１３  解析結果表示手段
１４  双方向通信手段
１６  受信状況監視手段
１５、２５、３５  アンテナ
２２  受信状況監視手段
２３  解析結果表示手段
２４  双方向通信手段
２６  受信状況監視手段
３６  受信状況監視手段
５１  受信状況収集／分析装置
５２  双方向通信手段
６１、７１、８１  アンテナ
【図１】
2004336436.tif 000003
【図２】
2004336436.tif 000004
【図３】
2004336436.tif 000005